(57)【要約】【課題】重り部材が雌ねじ部内部で自由に移動するようにしてバレルの重心及び重量を広範囲に調整することができ、併せて、重り部材の位置がずれることがないようにできるダーツ用バレル及びこのバレルを備えるダーツを提供する。【解決手段】バレル１は、軸状をなす本体１０と、本体１０の前端面１１及び後端面１２に開口する雌ねじ孔１３とを備える。雌ねじ孔１３は、バレル１の本体１０の内部を前端から後端まで貫通するように形成されている。また、雌ねじ孔１３に螺入すべき重り部材５を備え、この重り部材５は、円柱状の全体を有し、雌ねじ孔１３に螺入可能な雄ねじ部５０と、雌ねじ孔１３のねじ溝を弾性力により押圧する弾性部材とを備えている。【選択図】図３
0003167703.tif 000002
【実用新案登録請求の範囲】
【請求項１】
軸状をなす本体と、該本体の両端面に開口する雌ねじ部とを備え、該雌ねじ部を介してティップとフライトを有するシャフトとが取り付けられるダーツ用バレルにおいて、
前記雌ねじ部は、一端面から他端面に貫通するように形成され、
前記雌ねじ部に螺入する雄ねじ部と、前記雌ねじ部を押圧する弾性部材とを備える一又は複数の重り部材を更に備えていることを特徴とするダーツ用バレル。
【請求項２】
前記重り部材は、
先端に向かって徐々に径小するテーパ形状に形成されたねじ先部と、ねじ込み用の凹部が形成されているねじ頭部とを備える雄ねじ部を備え、
複数の重り部材が前記雌ねじ部に螺入された状態で、先に螺入された重り部材が備えるねじ頭部の凹部の底及び／又は開口縁に後から螺入された前記重り部材が備えるねじ先部が当接するように形成されていることを特徴とする請求項１に記載のダーツ用バレル。
【請求項３】
前記重り部材は、異なる重量及び／又は全長を有する複数の重り部材を含んでなることを特徴とする請求項１又は２に記載のダーツ用バレル。
【請求項４】
前記弾性部材は、前記重り部材から着脱可能であることを特徴とする請求項１乃至３のいずれかに記載のダーツ用バレル。
【請求項５】
前記重り部材は、前記雌ねじ部への螺入距離が視認できる目盛りが付された専用工具を用いることにより、前記雌ねじ部に螺入されるようにしてあることを特徴とする請求項１乃至４のいずれかに記載のダーツ用バレル。
【請求項６】
前記請求項１乃至５のいずれかに記載のダーツ用バレルと、
バレル本体の前端面に取り付けられるティップと、
バレル本体の後端面に取り付けられるシャフトと、
該シャフトに取り付けられるフライトと
を備えることを特徴とするダーツ。
【請求項７】
前記ティップの後端部及び／又はシャフトの前端部に前記バレル本体の雌ねじ部と同径のねじ穴が形成され、
前記重り部材が介在して前記ねじ穴と前記雌ねじ部とが連通することにより、前記ティップ及び／又はシャフトが前記バレル本体に取り付けられるようにしてあることを特徴とする請求項６に記載のダーツ。
【考案の詳細な説明】
【技術分野】
【０００１】
本考案は、軸状をなす本体と、該本体の両端面に開口する雌ねじ部とを備え、該雌ねじ部を介してティップとフライトを有するシャフトとが取り付けられるダーツ用バレル及びこのバレルを備えるダーツに関する。
【背景技術】
【０００２】
従来、ゲームプレイヤー（以下「プレイヤー」という。）が手に持つダーツをダーツボードと呼ばれる的に向かって投げ、ダーツが刺さった領域に応じた得点を競い合うダーツ競技が知られている。ダーツは、矢でいうところのやじりに相当するティップと、同じく箆（胴体）の前半に相当するバレルと、同じく箆（胴体）の後半に相当するシャフトと、同じく矢羽に相当するフライトという複数の部材で構成されている。
【０００３】
ダーツは、持ち方や投げ方に決まりがなく、個人によって持ち方や投げ方が様々であるため、身長及び体重が同じプレイヤー同士であっても、その持ち方及び投げ方は同じでない。そのため、各部材の重量、ダーツの重心位置及びヘッドバランスのセッティングは、ダーツの持ち方や投げ方の違いに応じて多種多様となり、プレイヤーに最適なセッティングを行うことがダーツの命中率を向上させるための重要な要素となる。
【０００４】
このような理由から、プレイヤーは、全長の異なるシャフトや大きさの異なるフライトをつけ替えるか、重心位置やヘッドバランスが異なるダーツを数多く使用するかして試行錯誤を繰り返し、最適なダーツを選び出す。そのため、ダーツ競技は、ダーツやパーツをそろえる経済的負担をプレイヤーに強いることとなり、敷居の高い競技となっている。
【０００５】
そこで、従来、バレル内部で重心位置やヘッドバランスを調整することができるダーツが提案され、ダーツ競技に必要な費用を下げるようにしている（例えば、特許文献１及び２）。
【先行技術文献】
【特許文献】
【０００６】
【特許文献１】特開２００８−１４２３９９号公報
【特許文献２】実用新案登録第３１３０３８５号公報
【考案の概要】
【考案が解決しようとする課題】
【０００７】
特許文献１に記載されている従来のダーツ９は、後述する図１２に示すよう、先端から順番にティップ９２と、バレル９１と、シャフト９３と、フライト９４と、重り部材９５とを備える。
【０００８】
バレル９１は、軸状をなす本体９１０と、本体９１０の前端面９１１及び後端面９１２に開口する雌ねじ穴９１３とを備える。雌ねじ穴９１３は、前端面９１１と後端面９１２との間が隔壁９１４により仕切られた状態であって貫通していない。
【０００９】
ティップ９２は、先端部９２３に向かって径が小さな略円錐状をなす本体９２０と、本体９２０の後端面（円錐底）９２１から突き出た雄ねじ部９２２とを備える。シャフト９３は、後端に向かって径が緩やかに小さな略円柱状をなす本体９３０と、本体９３０の前端面９３１から突き出た雄ねじ部９３２と、後端部９３３に切り込まれた差込溝９３４とを備える。重り部材９５は、本体が円柱状をなし、本体に形成された雄ねじ部９５０と、ねじ込み用の凹部（図示せず）が形成されたねじ頭部９５１とを備える。
【００１０】
従来のダーツ９は、バレル９１の前端面９１１に開口する雌ねじ穴９１３にティップ９２の雄ねじ部９２２がねじ込まれ、バレル９１の後端面９１２に開口する雌ねじ穴９１３にシャフト９３の雄ねじ部９３２がねじ込まれ、シャフト９３の差込溝９３４にフライト９４が差し込まれることにより、組み立てられる。
【００１１】
また、従来のダーツ９は、以下のように重心位置の微調整がなされる。前端側に重心を掛ける場合、重り部材９５がバレル９１の前端面９１１に開口する雌ねじ穴９１３にねじ込まれる。後端側に重心を掛ける場合、重り部材９５がバレル９１の後端面９１２に開口する雌ねじ穴９１３にねじ込まれる。バレル９１全体を重くする場合は、重り部材９５がバレル９１の全ての雌ねじ穴９１３にねじ込まれる。
【００１２】
このとき、重り部材９５は、バレル９１の隔壁９１４に阻まれ、雌ねじ穴９１３内部を自由に移動することができない。そのため、従来のダーツ９は、重り部材９５の位置が限定され、ダーツの重心位置やヘッドバランスなどを広範囲で調整することができない。
【００１３】
また、特許文献２に記載されている従来のダーツは、バレル内の雌ねじ部をバレルの前端から後端まで貫通させることにより、重り部材が雌ねじ部内部を自由に移動することができるようにされているが、投げ放たれたときの振動やダーツボードに突き刺さったときの衝撃により、雌ねじ部内部にて重り部材の位置がずれるおそれがあり、重心及び重量を確実に調整することができない。
【００１４】
本考案はかかる事情を鑑みてなされたものであり、雌ねじ部をバレルの一端面から他端面まで貫通させることにより、重り部材が雌ねじ部内部で自由に移動するようにしてバレルの重心及び重量を広範囲に調整することができ、併せて、重り部材が有する弾性部材が雌ねじ部を押圧することにより、重り部材の位置がずれることがないようにできるダーツ用バレル及びこのバレルを備えるダーツを提供することを目的とする。
【課題を解決するための手段】
【００１５】
本考案に係るダーツ用バレルは、軸状をなす本体と、該本体の両端面に開口する雌ねじ部とを備え、該雌ねじ部を介してティップとフライトを有するシャフトとが取り付けられるダーツ用バレルにおいて、前記雌ねじ部は、一端面から他端面に貫通するように形成され、前記雌ねじ部に螺入する雄ねじ部と、前記雌ねじ部を押圧する弾性部材とを備える一又は複数の重り部材を更に備えていることを特徴とする。
【００１６】
また、本考案に係るダーツ用バレルは、前記重り部材は、先端に向かって徐々に径小するテーパ形状に形成されたねじ先部と、ねじ込み用の凹部が形成されているねじ頭部とを備える雄ねじ部を備え、複数の重り部材が前記雌ねじ部に螺入された状態で、先に螺入された重り部材が備えるねじ頭部の凹部の底及び／又は開口縁に後から螺入された前記重り部材が備えるねじ先部が当接するように形成されている構成であってもよい。
【００１７】
また、本考案に係るダーツ用バレルは、前記重り部材は、異なる重量及び／又は全長を有する複数の重り部材を含んでなる構成であってもよい。
また、本考案に係るダーツ用バレルは、前記弾性部材は、前記重り部材から着脱可能である構成であってもよい。
また、本考案に係るダーツ用バレルは、前記重り部材は、前記雌ねじ部への螺入距離が視認できる目盛りが付された専用工具を用いることにより、前記雌ねじ部に螺入される構成であってもよい。
【００１８】
また、本考案に係るダーツは、上記のいずれかのダーツ用バレルと、バレル本体の前端面に取り付けられるティップと、バレル本体の後端面に取り付けられるシャフトと、該シャフトに取り付けられるフライトとを備えることを特徴とする。
更にまた、本考案に係るダーツは、前記ティップの後端部及び／又はシャフトの前端部に前記バレル本体の雌ねじ部と同径のねじ穴が形成され、前記重り部材が介在して前記ねじ穴と前記雌ねじ部とが連通することにより、前記ティップ及び／又はシャフトが前記バレル本体に取り付けられる構成であってもよい。
【考案の効果】
【００１９】
本考案は、バレル内部に重り部材を装着することにより、ダーツ全体の重心及び重量の調整作業を簡単にすることができる。また、重り部材がバレル内部で自由に移動することにより、重心及び重量の調整範囲を広げ、より細やかに調整作業を行うことができる。更にまた、重り部材の弾性部材が雌ねじ部を押圧することにより、ダーツ投放時の振動やダーツボード接触時の衝撃による重り部材の位置ずれを防ぐことができ、調整を確実なものとすることができる。
【図面の簡単な説明】
【００２０】
【図１】本考案に係るダーツの全体構成を示す側面視断面図である。
【図２】本考案に係るバレルが備える重り部材の構成を示す分解斜視図であり、（ａ）はねじ先側から見た分解斜視図、（ｂ）はねじ頭側から見た分解斜視図である。
【図３】本考案に係るバレルに重り部材が螺入される状態を示す側面視断面図である。
【図４】本考案に係るバレルに複数の重り部材が螺入されて連結する状態を示す側面視断面図であり、（ａ）は複数の重り部材が順次螺入される状態を示す側面視断面図、（ｂ）は複数の重り部材が連結する状態を示す側面視断面図、（ｃ）は複数の重り部材が雌ねじ部に螺入された状態で、先に螺入された重り部材が備えるねじ頭部の凹部の底及び／又は開口縁に後から螺入された重り部材が備えるねじ先部が当接する状態を示す側面視断面図である。
【図５】本考案に係るバレルの重心調整を示す側面視断面図であり、（ａ）は前端側に重心を掛けた状態を示す側面視断面図、（ｂ）は中間付近に重心を掛けた状態を示す側面視断面図、（ｃ）は後端側に重心を掛けた状態を示す側面視断面図である。
【図６】本考案に係るバレルの重量調整を示す側面視断面図であり、（ａ）は軽めに調整された状態を示す側面視断面図、（ｂ）は重めに調整された状態を示す側面視断面図、（ｃ）はより重く調整された状態を示す側面視断面図である。
【図７】本考案に係るバレルの重心と重量との調整を示す側面視断面図であり、（ａ）は前端側に重心を掛けつつ重めに調整された状態を示す側面視断面図、（ｂ）が後端側に重心を掛けつつ重めに調整された状態を示す側面視断面図、（ｃ）は無調整状態を示す側面視断面図である。
【図８】図２より全長が短い重り部材の構成を示す説明図であり、（ａ）は重り部材をねじ先側から見た分解斜視図、（ｂ）は重り部材をねじ頭側から見た分解斜視図、（ｃ）は重り部材が螺入されて連結する状態を示す側面視断面図である。
【図９】本考案に係るバレルに図１と異なる形態のシャフトを取り付ける状態を示す図であり、（ａ）はシャフトの構造を示す側面視断面図、（ｂ）はシャフトを取り付けた状態を示す側面視断面図である。
【図１０】本考案にバレルに図１と異なる形態のティップを取り付ける状態を示す図であり、（ａ）はティップの構造を示す側面視断面図、（ｂ）はティップを取り付けた状態を示す側面視断面図である。
【図１１】図２及び図８と先端形状が異なる重り部材を示す説明図であり、（ａ）は重り部材をねじ先側から見た分解斜視図、（ｂ）は重り部材をねじ頭側から見た分解斜視図、（ｃ）は重り部材が螺入されて連結する状態を示す側面視断面図である。
【図１２】従来のダーツの全体構成を示す側面視断面図である。
【考案を実施するための形態】
【００２１】
実施の形態１．
本考案に係るダーツ用バレル及びこのバレルを備えるダーツを本実施の形態を示す図に基づいて以下説明する。図１に示すとおり、本考案に係るダーツは、バレル１と、ティップ２と、シャフト３と、フライト４と、重り部材５とを備える。
【００２２】
バレル１は、ダーツの中央に位置し、ダーツが投げられる際の持ち手となり、ダーツ全体の重心及び重量を調整する部品である。バレル１は、細長軸状に形成された本体１０を備え、本体１０は、ブラス（真鍮）、銅、ニッケル合金及びタングステン合金などの材料により形成されている。また、バレル１は、本体１０の外周面に複数刻まれたプレイヤーの指を滑り難くするための細かな溝を備える。
【００２３】
また、バレル１は、本体１０の内部に形成された雌ねじ孔１３を備える。雌ねじ孔１３は、バレル１の本体１０の内部を前端面１１から後端面１２まで貫通するように形成され、前端面１１と後端面１２とを円形に開口している。雌ねじ孔１３は、中央付近が隔壁により仕切られることなく、バレル１の前端から後端まで通り連なっている。雌ねじ孔１３は、内周面にバレル１の後端から前端まで螺旋状に刻まれたねじ溝を備える。
【００２４】
ティップ２は、バレル１の本体１０の前端面１１に取り付けられ、ダーツボードに突き刺さる部品である。ティップ２は、ハードダーツの場合、本体２０が金属により形成され、ソフトダーツの場合、本体２０がプラスチックにより形成されている。また、ティップ２は、ダーツボードに突き刺さるように、本体２０が先端部２３に向かって径が小さな略円錐状となるように形成されている。また、ティップ２は、本体２０の後端面（円錐底）２１がバレル１の本体１０の前端面１１と同じ径となるように形成されている。また、ティップ２は、本体２０の後端面２１から突き出た雄ねじ部２２を備える。雄ねじ部２２は、本体２０の後端面２１と同軸であり、後端面２１より小さな径となるように形成されている。また、ティップ２は、ダーツボードに突き刺さる際の衝撃により、先端部２３が潰れたり、本体２０が折れたりする消耗品である。
【００２５】
シャフト３は、バレル１の本体１０の後端面１２に取り付けられ、ダーツの後端側に位置する部品である。シャフト３は、ナイロン、プラスチック、アルミニウム及びガラス繊維などの材料により形成されている。また、シャフト３は、グルーピング、即ち、複数のダーツが纏まって近い場所に突き刺さる場合にお互いにダーツが干渉し合わないよう、本体３０が前端から後端に向かって径が緩やかに小さなテーパ形状となるように形成されている。また、シャフト３は、本体３０の前端面３１がバレル１の本体１０の後端面１２と同じ径となるように形成されている。また、シャフト３は、本体３０の前端面３１から突き出た雄ねじ部３２を備える。雄ねじ部３２は、本体３０の前端面３１と同軸であり、前端面３１より小さな径となるように形成されている。また、シャフト３は、後端部３３に径方向切断断面視で十字状となるように切り込み形成された差込溝３４を備える。
【００２６】
フライト４は、シャフト３に取り付けられ、投げ放たれたダーツの直進性を高める部品である。また、フライト４は、紙、布及びポリエチレンなどの材料により形成されている。また、フライト４は、四枚の翼からなり、シャフト３の差込溝３４に差し込まれることによりそれぞれの翼が９０度間隔に開く。また、フライト４は、グルーピングの際に別のダーツのフライト４と擦れることにより傷む消耗品である。
【００２７】
重り部材５は、バレル１の内部に装着され、ダーツの重心を決定する部品である。以下、図２に基づき説明する。重り部材５は、バレル１と同様にブラス、銅、ニッケル合金及びタングステン合金などの材料により形成されている。また、重り部材５は、複数種存在し、それぞれ比重の異なる材料により形成されて異なる重量を有している。また、重り部材５は、本体が円柱状に形成されている。また、重り部材５は、本体に形成された雄ねじ部５０を備える。また、重り部材５は、先端に向かって径が徐々に小さなテーパ形状となるように形成されたねじ先部５１を備える。なお、テーパの寸法については、後述にて説明する。また、重り部材５は、雄ねじ部５０とねじ先部５１との間に形成された嵌込溝５４を備える。また、重り部材５は、嵌込溝５４に嵌め込まれる環状の弾性部材５２を備える。弾性部材５２は、力が加えられると変形し除荷されるともとの寸法に戻る性質を有する部材であり、ゴムなどの材料で形成されている。なお、弾性部材５２の寸法については、後述にて説明する。また、重り部材５は、ねじ込み用の凹部５５が形成されたねじ頭部５３を備える。凹部５５は、径方向切断断面視で六角形となるように形成されている。なお、凹部５５の寸法については、後述にて説明する。
【００２８】
このように本考案に係るダーツは、複数の部材により構成されている。以下、これらの部材を用いたダーツの組み立てについて説明する。ダーツの組み立ては、バレル１の重心及び重量を調整する工程と、ティップ２、シャフト３及びフライト４を取り付ける工程と、バレル１の重心及び重量を再調整する工程とからなる。
【００２９】
（バレル１の重心・重量調整）
バレル１の重心・重量調整は、バレル１の内部に重り部材５が装着されることにより行われる。重り部材５は、図３に示すように、ねじ先部５１がバレル１の本体１０の後端面１２から雌ねじ孔１３に挿入される。重り部材５は、ねじ頭部５３に形成された凹部５５に六角棒スパナ７が差し込まれ、六角棒スパナ７の回転に応じて雄ねじ部５０のねじ山がバレル１の雌ねじ孔１３のねじ溝に噛み合い、ねじ込みの度合いに応じてバレル１の後端側から前端側に向かって移動していく。
【００３０】
六角棒スパナ７は、専用工具であり、径方向切断断面が六角形をなす棒状であり、略Ｌ字状に曲げられ、棒の外周面に棒軸方向に沿って目盛りが付されている。重り部材５は、六角棒スパナ７に記された目盛りにより雌ねじ孔１３内における螺入距離が視認され、任意の場所までねじ込まれる。重り部材５は、任意の場所に配置され、弾性部材５２が雌ねじ孔１３のねじ溝面により押さえ付けられて変形して弾性力により雌ねじ部１３のねじ溝面を押し返し、配置位置からずれることがないように規制する。
【００３１】
ここで、弾性部材５２の寸法を説明する。弾性部材５２は、環状に形成され、嵌込溝５４から抜け出すことなく、且つ、バレル１の雌ねじ孔１３のねじ溝面を押さえ付けることができる環の内側寸法、外側寸法及び厚み寸法となるように形成されている（図４（ａ）参照）。
【００３２】
また、重り部材５は、図４に示すように、バレル１内部に複数ねじ込まれた場合、互いに連結する。重り部材５は、図４（ａ）に示すように、重り部材５がバレル１内にねじ込まれて任意の位置に配置された後、別の重り部材５がバレル１内にねじ込まれる。この操作が繰り返されることにより、重り部材５は、図４（ｂ）に示すように、バレル１の雌ねじ孔１３内で直線上に連結する。このとき、重り部材５は、図４（ｃ）に示すように、後からねじ込まれた重り部材５のねじ先部５１の先端が先にねじ込まれた重り部材５のねじ頭部５３に形成された凹部５５の底に到達して接触し、後からねじ込まれた重り部材５のねじ先部５１のテーパ面が先にねじ込まれた重り部材５のねじ頭部５３に形成された凹部５５の開口縁に接触するようにして連結する。
【００３３】
ここで、重り部材５のねじ先部５１のテーパとねじ頭部５３の凹部５５との寸法について説明する。凹部５５は、所定の深さとなるように形成され、ねじ先部５１のテーパは、ねじ先部５１が凹部５５に嵌り込んだ状態でねじ先部５１の先端が凹部５５の底に接触し、ねじ先部５１のテーパ面が凹部５５の開口縁に接触するように形成されている。
【００３４】
このように、重り部材５は、バレル１内部を自由に移動することができ、その配置位置に応じてダーツの重心を移動させる。例えば、ダーツの前端側に重心を掛けようとする場合、重り部材５は、図５（ａ）に示すように、バレル１の前端側に集中するように配置される。また、ダーツの中央部分に重心を掛けようとする場合、重り部材５は、図５（ｂ）に示すように、バレル１の中央部分に集中するように配置される。また、ダーツの後端側に重心を掛けようとする場合、重り部材５は、図５（ｃ）に示すように、バレル１の後端側に集中するように配置される。
【００３５】
また、重り部材５は、バレル１内に装着される個数に応じてダーツの重量を変更させる。例えば、ダーツの重量を軽めにする場合、重り部材５は、図６（ａ）に示すように、装着すべき個数が減らされる。また、ダーツの重量を重めにする場合、重り部材５は、図６（ｂ）に示すように、装着すべき個数が増やされる。また、ダーツの重量をより重くする場合、重り部材５は、図６（ｃ）に示すように、装着すべき個数が最大数となる。
【００３６】
また、重り部材５は、バレル１内の配置位置と装着された個数とを組み合わせることにより、ダーツの重心移動と重量変更とを同時に行う。例えば、ダーツの前端側に重心を掛けつつ重量を重めにする場合、重り部材５は、図７（ａ）に示すように、装着すべき個数を増やしつつ、バレル１の前端側に集中するように配置される。また、ダーツの後端側に重心を掛けつつ重量を重めにする場合、重り部材５は、図７（ｂ）に示すように、装着すべき個数を増やしつつ、バレル１の後端側に集中するように配置される。また、バレル１の重心及び重量のまま利用する場合、重り部材５は、図７（ｃ）に示すように、バレル１内に装着されることがない。
【００３７】
（ティップ２、シャフト３及びフライト４の取り付け）
バレル１の重心・重量調整がなされた後、バレル１は、前端面１１の雌ねじ孔１３にティップ２の雄ねじ部２１がねじ込まれ、後端面１２の雌ねじ孔１３にシャフト３がねじ込まれる。最後に、フライト４がシャフト３の差込溝３４に差し込まれる。ダーツは、重心及び重量が最適化され、ゲームに使用される。
【００３８】
（バレル１の重心・重量の再調整）
ダーツの重心及び重量を再調整する場合、バレル１は、後端面１２からシャフト３が取り外され、開口する雌ねじ孔１３に六角棒スパナ７が挿入される。六角棒スパナ７は、重り部材５を回転させて雌ねじ孔１３内を移動させて配置位置を変更させるか、重り部材５を雌ねじ孔１３から着脱させて装着すべき個数を増減させる。その後、バレル１の後端面１２にシャフト３が取り付けられる。
【００３９】
このように組み立てられたダーツは、以下の作用効果を奏する。重り部材５をねじ込むべき雌ねじ孔１３がバレル１の前端から後端まで貫通するように形成されているので、重り部材５の移動範囲が広がり、バレル１の重心設定が前端から後端までの広範囲に亘って行われる。また、重り部材５の雄ねじ部５のねじ山がバレル１の雌ねじ孔１３のねじ溝と噛み合うことにより、重り部材５は、回転することでバレル１内を軸心方向に自由に移動する。その結果、バレル１に掛かる重心が前端側及び後端側に容易に移動する。
【００４０】
また、バレル１内に装着すべき重り部材５の個数を増やすことによってバレル１の重量が大きくなり、バレル１内に装着すべき重り部材５の個数を減らすことによってバレル１の重量が小さくなる。また、バレル１内に重り部材５を装着しないことによってバレル１の重量が最も小さくなる。特に、ダーツに軽さを求める場合に有効となる。
【００４１】
また、重り部材５は、弾性部材５２がバレル１の雌ねじ孔１３の溝面を押し付けることにより、自らの回転を規制し、ダーツの投放時の振動やダーツボードへの接触時の衝撃よって配置位置がずれることがないように固持している。
【００４２】
また、バレル１内に重り部材５が複数装着される場合、先に装着された重り部材５は、後から装着された重り部材５により軸方向に押さえ付けられる状態となる。その結果、先に装着された重り部材５は、雌ねじ孔１３のねじ溝との間で摩擦が増し、配置位置がずれ難くなる。
【００４３】
また、重り部材５は、ねじ先部５１の先端が凹部５５の底部に押し当たり、ねじ先部５１のテーパ面が凹部５５の開口縁に押し当たるように連結している。その結果、ねじ先部５１と凹部５５との接触面積が小さくなるため、後から装着される重り部材５のねじ込み回転方向に働く力は、先に装着された重り部材５に伝わり難くなり、先に装着された重り部材５は、後から装着された重り部材５のねじ込み回転に応じることなく、配置された位置からずれることがない。
【００４４】
また、弾性部材５２は、弾性力が低下した場合、新しい部材に取り替えられ、弾性力が低下しないように維持されている。また、重量の異なる重り部材５が用いられることにより、バレル１の重心及び重量がより細かく調整される。
【００４５】
実施の形態２．
上述した実施の形態１において、同じ全長の重り部材５を用いてダーツの重心及び重量を調整する一例を説明した。しかし、本考案は、これに限定されるものでなく、例えば、異なる全長の重り部材５を用いてダーツの重心及び重量を調整するようにしてもよい。特に、少数の重り部材５を用いて調整する場合や、全長が短いバレル１に用いる場合に該当する。
【００４６】
実施の形態２において、ダーツは、短い全長の重り部材６を更に備える。短い全長の重り部材６は、図８（ａ）及び（ｂ）に示すように、通常の重り部材５と同径であるが、全長がやや短い円柱状となるように形成されている。また、短い全長の重り部材６は、本体に形成された雄ねじ部６０を備える。また、短い全長の重り部材６は、テーパ状となるように形成されたねじ先部６１を備える。テーパの寸法は、通常の重り部材５と同寸である。また、短い全長の重り部材６は、雄ねじ部６０とねじ先部６１との間に形成された嵌込溝６４を備える。また、短い全長の重り部材６は、嵌込溝６４に嵌め込まれる弾性部材６２を備える。弾性部材６２は、弾性部材５２と同様の性質を有し、同様の材料により形成されている。弾性部材６２の寸法は、弾性部材５２と同寸である。また、短い全長の重り部材６は、ねじ込み用の凹部６５が形成されたねじ頭部６３を備える。凹部６５の寸法は、通常の重り部材５の凹部５５と同寸である。
【００４７】
このような構成を備える短い全長の重り部材６は、図８（ｃ）に示すように、短い重り部材６が雌ねじ孔１３にねじ込まれ、先にねじ込まれた重り部材５の直後までねじ込まれる。重り部材５と短い全長の重り部材６とは、直線上に連結し、後からねじ込まれた短い全長の重り部材６のねじ先部６１の先端が、先にねじ込まれた重り部材５のねじ頭部６３に形成された凹部６５の底に到達して接触し、後からねじ込まれた短い重り部材６のテーパ面が先にねじ込まれた通常の重り部材５のねじ頭部６３に形成された凹部６５の開口縁に接触する。
【００４８】
このように組み立てられたダーツは、以下の作用効果を奏する。短い全長の重り部材６は、極力軽量化する場合や、全長の短いバレル１内に装着する場合に、重り部材５を後方から押し付けるときに有効である。
【００４９】
なお、他の構成及び作用効果については、上述する実施の形態１と同様であるから、対応する箇所については、同一の符号を付することによりその説明を省略する。
【００５０】
実施の形態３．
上述した実施の形態において、ティップ２及びシャフト３から突き出る雄ねじ部がバレル１の雌ねじ孔１３にねじ込まれる一例を説明した。しかし、本考案は、これに限定されるものでなく、例えば、ティップ２及びシャフト３に雌ねじ穴を設け、重り部材５を介してバレル１の雌ねじ孔１３と連結するようにしてもよい。
【００５１】
実施の形態３において、ティップ２は、図１０（ａ）に示すように、本体２０の後端面２１に形成された雌ねじ穴２３を備える。雌ねじ穴２３は、バレル１の雌ねじ孔１３と径が同じとなるように形成されている。このような構成を備えるティップ２は、バレル１の重心・重量調整がなされた後、図１０（ｂ）に示すように、バレル１の前端面１１に取り付けられる。重り部材５は、雄ねじ部５０の略前半分がバレル１の前端面１１から突き出るように配置され、ティップ２は、自らの雌ねじ穴２３に重り部材５の雄ねじ部５０がねじ込まれることにより、バレル１の前端側に取り付けられる。
【００５２】
また、シャフト３は、図９（ａ）に示すように、本体３０の前端面３１に形成された雌ねじ穴３５を備える。雌ねじ穴３５は、バレル１の雌ねじ孔１３と径が同じとなるように形成されている。このような構成を備えるシャフト３は、バレル１の重心・重量調整がなされた後、図９（ｂ）に示すように、バレル１の後端面１２に取り付けられる。即ち、重り部材５は、雌ねじ部５０の略後半分がバレル１の後端面１２から突き出るように配置され、シャフト３は、自らの雌ねじ穴３５に重り部材５の雄ねじ部５０がねじ込まれることにより、バレル１の後端側に取り付けられる。
【００５３】
このように組み立てられたダーツは、以下の作用効果を奏する。重り部材５がバレル１の前端より前側又は後端より後側に位置することにより、ダーツの重心が前端側又は後端側に掛かるようになる。
【００５４】
なお、他の構成及び作用効果については、上述する実施の形態と同様であるから、対応する箇所については、同一の符号を付することによりその説明を省略する。
【００５５】
実施の形態４．
上述した実施の形態において、重り部材５は、ねじ先部５１のテーパ面が雄ねじ部５０から連なるように突き出し、先端に向かって径が徐々に小さくなるように形成されている一例を説明した。しかし、本考案は、これに限定されることなく、重り部材５のねじ先部が異なる形状であってもよい。
【００５６】
実施の形態４において、重り部材５は、図１１（ａ）（ｂ）に示すように、ねじ先部５１のテーパ面が、本体５０の周端縁より軸寄りの位置から突き出し、突き出した箇所から先端に向かって径が徐々に小さくなるように形成されている。そのため、重り部材５の本体１０は、周端縁とテーパ面の突き出し位置との間に端面５６を備える。重り部材５は、環状の弾性部材５２がねじ先部５１に嵌り込み、端面５６に接着する。環状の弾性部材５２は、平板の中央に孔があけられた形状をしている。
【００５７】
重り部材５は、図１１（ｃ）に示すように、後からねじ込まれた重り部材５のねじ先部５１の先端が先にねじ込まれた重り部材５のねじ頭部５３に形成された凹部５５の底に接触し、後からねじ込まれた重り部材５のねじ先部５１のテーパ面が先にねじ込まれた重り部材５のねじ頭部５３に形成された凹部５５の開口縁に接触する。併せて、重り部材５は、後からねじ込まれた重り部材５の端面５６に接着する弾性部材５２が先にねじ込まれた重り部材５のねじ頭部５３に面接触する。
【００５８】
このように組み立てられたダーツは、以下の作用効果を奏する。重り部材５のねじ先部５１が上述の形状を有していることにより、後からねじこまれた重り部材５の端面に接着する弾性部材５２が先にねじ込まれた重り部材５のねじ頭部５３に面接触するので、前後の重り部材５を隙間なく連結されることができる。
【００５９】
なお、他の構成及び作用効果については、上述する実施の形態と同様であるから、対応する箇所については、同一の符号を付することによりその説明を省略する。
【００６０】
また、上述した実施の形態において、重り部材５（又は短い全長の重り部材６）の凹部５５（又は凹部６５）は、六角形であるとしたが、これに限定されることなく、他の多角形や星形であってもよい。その場合、専用工具は、これらの凹部の形状に応じた形状を有する工具が用いられる。
【００６１】
また、上述した実施の形態において、後からねじ込まれた重り部材５のねじ先部５１の先端が先にねじ込まれた重り部材５のねじ頭部５３に形成された凹部５５の底に接触し、後からねじ込まれた重り部材５のねじ先部５１のテーパ面が先にねじ込まれた重り部材５のねじ頭部５３に形成された凹部５５の開口縁に接触する一例を説明する。しかしながら、本考案は、これに限定されるものでなく、後からねじ込まれた重り部材５のねじ先部５１の先端が先にねじ込まれた重り部材５のねじ頭部５３に形成された凹部５５の底に接触するか、又は、後からねじ込まれた重り部材５のねじ先部５１のテーパ面が先にねじ込まれた重り部材５のねじ頭部５３に形成された凹部５５の開口縁に接触するか、のいずれかひとつであってもよい。
【符号の説明】
【００６２】
１  バレル
１０  本体
１１  前端面
１２  後端面
１３  雌ねじ孔
２  ティップ
２１  後端面
３  シャフト
３１  前端面
４  フライト
５  重り部材
５０  雄ねじ部
５１  ねじ先部
５２  弾性部材
５３  ねじ頭部
５５  凹部
５６  端面
７  六角棒スパナ
【図１】
0003167703.tif 000003
【図２】
0003167703.tif 000004
【図３】
0003167703.tif 000005
【図４】
0003167703.tif 000006
【図５】
0003167703.tif 000007
【図６】
0003167703.tif 000008
【図７】
0003167703.tif 000009
【図８】
0003167703.tif 000010
【図９】
0003167703.tif 000011
【図１０】
0003167703.tif 000012
【図１１】
0003167703.tif 000013
【図１２】
0003167703.tif 000014